(57)【特許請求の範囲】
【請求項１】
吸込み口および吹出し口を備え、前面パネルおよび後板とから構成されるユニット本体と、
このユニット本体内の後板に配置され、側面視で逆Ｖ字状となし、上記ユニット本体の前面側に位置する前側熱交換器および後面側に位置する後側熱交換器とからなり、上記前側熱交換器の下端部は上記後側熱交換器の下端部よりも低い位置に構成される熱交換器と、
上記前側熱交換器の下部に配置される前ドレンパンと、上記後側熱交換器の下部に配置される後ドレンパンと、これら前ドレンパンと後ドレンパンを連通する樋部と、
上記熱交換器に覆われるように配置され、上記吸込み口から被空調室空気を吸込んで上記熱交換器に流通させ、ここで熱交換したあと送風路を介して吹出し口から送風するように横流ファンとファンモータが軸方向に連結してなる送風機とを具備した空気調和機の室内ユニットにおいて、
上記ユニット本体を構成する後板は、射出成形の金型により、上記送風機の横流ファンに対して形成され手前側端部に吹出し口を開口する送風路と、この送風路の長手方向両側部に形成され上記送風機の両端部を支持するための送風機支持部と、両端部がこの送風機支持部と連結され、上記吹出し口を介して上記送風路の手前側に設けられた、上記前側熱交換器の下部に配置される前ドレンパンと、上記送風路の上部側に沿って設けられた、上記後側熱交換器の下部に配置される後ドレンパンと、上端部が後ドレンパンと連通し下端部が前ドレンパンと連通するように前後のドレンパン相互に亘って架設され、後ドレンパンに集水されたドレン水を前ドレンパンへ流通案内する連通路を構成する樋部と、を全て同時に一体成形したことを特徴とする空気調和機の室内ユニット。
【請求項２】
上記後板に一体に設けられる前ドレンパンと後ドレンパンは、ともに、前ドレンパンを構成するリブと後ドレンパンを構成するリブを互いに射出成形の金型の抜き方向と同一方向に突出形成したことを特徴とする請求項１記載の空気調和機の室内ユニット。
【発明の詳細な説明】
【０００１】
【発明の属する技術分野】
本発明は、特に、逆Ｖ字状に形成される熱交換器を備えた空気調和機の室内ユニットに係り、後板の成形構造に関する。
【０００２】
【従来の技術】
一般的に用いられる空気調和機は、被空調室に配置される室内ユニットと、屋外に配置される室外ユニットからなり、これらユニット相互を冷媒管および電気配線で接続してなる。
【０００３】
ユーザ側からは、これらユニットに対する小形化と、据付スペース低減の要望が大であり、各メーカにおいては、このような条件を満足しつつ、熱交換能力の増大を図らなければならない。
【０００４】
その解決策の一つとして、たとえば実開平４−１０６４２５号公報に開示されるように、本体と前面パネルにそれぞれ対向するように逆Ｖ字状に形成して、前側熱交換器と後側熱交換器とからなる熱交換器を配置し、この熱交換器の下部に送風機を配置した空気調和機の室内ユニットがある。
【０００５】
このような形態の熱交換器であれば、熱交換面積を充分確保するとともに、熱交換器自体の高さ寸法を抑制し、それによってユニット本体の高さ寸法の低減化を得ている。
【０００６】
【発明が解決しようとする課題】
ところで、このような逆Ｖ字状に形成される熱交換器を備えると、熱交換作用にともなって前側熱交換器および後側熱交換器にドレン水が同時に生成される。これらドレン水は、各熱交換器の下部に配置されるドレンパンに滴下し、集水される。
【０００７】
ドレン水の処理については何らの問題もないが、前パネルと後板に対して、前側熱交換器のドレン水を受ける前ドレンパンと、後側熱交換器のドレン水を受ける後ドレンパンは、それぞれ別個に製作され、かつ組み立てられている。
【０００８】
そのため、部品点数が多くなって、それぞれを製作するのに必要な金型代がコストに悪影響を与えており、かつ組み立てた状態で互いの連結部分から熱膨張などによる騒音（ピシ音）の発生がある。
【０００９】
後側熱交換器下部の後ドレンパンで集水したドレン水を、ここに設けられる複数の排水口から排水するようになっているが、後ドレンパンの内側は送風機回転時に負圧になっているので、排水口から熱交換前の生空気を吸ってしまう。
【００１０】
その結果、後ドレンパンの外周面に露付きが生じ易く、これらの露は送風路に滴下して、熱交換空気とともに被空調室へ吹出されることもあり、快適空調が損なわれる。
【００１１】
本発明は、上記事情に鑑みなされたものであり、その目的とするところは、逆Ｖ字状に形成される熱交換器を備えることを前提として、この熱交換器で生成されるドレン水を受けて、結露の生成を阻止し快適空調を確保するとともに、製作および組立ての簡単化を図り、コストの低減を得られる空気調和機の室内ユニットを提供しようとするものである。
【００１２】
【課題を解決するための手段】
上記目的を満足するため、本発明の空気調和機の室内ユニットは、請求項１として、吸込み口および吹出し口を備え、前面パネルおよび後板とから構成されるユニット本体と、このユニット本体内の後板に配置され、側面視で逆Ｖ字状となし、ユニット本体の前面側に位置する前側熱交換器および後面側に位置する後側熱交換器とからなり、前側熱交換器の下端部は後側熱交換器の下端部よりも低い位置に構成される熱交換器と、前側熱交換器の下部に配置される前ドレンパンと上記後側熱交換器の下部に配置される後ドレンパンとこれら前ドレンパンと後ドレンパンを連通する樋部と、熱交換器に覆われるように配置され吸込み口から被空調室空気を吸込んで熱交換器に流通させここで熱交換したあと送風路を介して吹出し口から送風するように横流ファンとファンモータが軸方向に連結してなる送風機とを具備した空気調和機の室内ユニットにおいて、上記ユニット本体を構成する後板は、射出成形の金型により送風機の横流ファンに対して形成され手前側端部に吹出し口を開口する送風路と、この送風路の長手方向両側部に形成され送風機の両端部を支持するための送風機支持部と、両端部がこの送風機支持部と連結され吹出し口を介して送風路の手前側に設けられた前側熱交換器の下部に配置される前ドレンパンと、送風路の上部側に沿って設けられた後側熱交換器の下部に配置される後ドレンパンと、上端部が後ドレンパンと連通し下端部が前ドレンパンと連通するように前後のドレンパン相互に亘って架設され後ドレンパンに集水されたドレン水を前ドレンパンへ流通案内する連通路を構成する樋部とを全て同時に一体成形したことを特徴とする。
【００１３】
請求項２として、請求項１記載の上記後板に一体に設けられる前ドレンパンと後ドレンパンは、ともに、前ドレンパンを構成するリブと後ドレンパンを構成するリブを互いに射出成形の金型の抜き方向と同一方向に突出形成したことを特徴とする。
【００２０】
以上のような課題を解決するための手段を備えることにより、請求項１の発明において、後板は、射出成形の金型により、送風路と、送風機支持部と、前，後ドレンパンおよび樋部を全て一体に形成することによって、送風機やノーズなどの送風系に対する組立て精度の向上を得られるとともに、連結部がないので、熱膨張などによる騒音（ピシ音）が発生しない。
【００２１】
請求項２の発明において、前ドレンパンを構成するリブと後ドレンパンを構成するリブとを同一方向に突設させることから、前ドレンパンと後ドレンパンの型抜き方向が一致しているので、後板を射出成形するための金型は、単純な構成ですむ。
【００２８】
【発明の実施の形態】
以下、本発明の実施の形態を、図面を参照して説明する。
図１に示すように、空気調和機の室内ユニットが構成される。
空気調和機本体であるユニット本体１は、前面パネル２と後述する後板３とから構成される。上記前面パネル２の前面側にはグリル４が嵌め込まれた前部吸込み口２ａが開口され、上面にはグリル５が嵌め込まれた上部吸込口２ｂが開口される。
【００２９】
ユニット本体１内には、各吸込口２ａ，２ｂに亘って対向するよう緩やかな円弧状に曲成されるエアーフイルタ６と、逆Ｖ字状に形成される熱交換器７とが配置される。
【００３０】
熱交換器７は、前部吸込み口２ａに対向する前側熱交換器７Ａと、上部吸込み口２ｂに対向する後側熱交換器７Ｂとから構成される。特に、後側熱交換器７Ｂの上面に沿って補助熱交換器８が配置されていて、上部吸込み口２ｂとの間に介在される。
【００３１】
この熱交換器７を構成する前側熱交換器７Ａ下端部は低い位置にあり、この下部には前ドレンパン９Ａが配置される一方、後側熱交換器７Ｂ下端部は高い位置にあり、この下部には後ドレンパン９Ｂが配置される。これら前，後ドレンパン９Ａ，９Ｂは、上記後板３に一体に設けられるとともに、図１０に示すように、前ドレンパン９Ａを構成するリブ９１Ａと、後ドレンパン９Ｂを構成するリブ９１Ｂとが同一方向に突設されている。なお、同図において９０Ａ〜９０Ｅは後板３を射出成形するための金型である。
【００３２】
逆Ｖ字状に形成される上記熱交換器７の内部位置、すなわちこの前側熱交換器７Ａと後側熱交換器７Ｂとの間に配置され、これら熱交換器に覆われるようにして室内送風機１１が配置される。
【００３３】
図２にも示すように、上記室内送風機１１は、上記熱交換器７の幅寸法と同一の軸方向寸法の横流ファン１２と、この横流ファン１２の一側部側の端板１２ｂに回転軸１３ａを介して連結されるファンモータ１３および横流ファン１２の他側部の端板１２ｃに突設される支軸１２ａを枢支する軸受け具１４とから構成される。
【００３４】
一方、上記後板３の長手方向の一側部（右側部）には、第１の送風機支持部１５が一体に形成され、他側部（左側部）には、第２の送風機支持部１６が一体に形成される。
【００３５】
これら送風機支持部１５，１６のそれぞれ内側部は狭い幅寸法で凹陥形成されており、この凹陥部を右樋部１７Ａ，左樋部１７Ｂと呼ぶ。そして、両樋部１７Ａ，１７Ｂ相互間には、送風路１８が形成されており、ここには長手方向に所定の間隔を存して補強用のリブ１９…が突設される。
【００３６】
上記送風路１８の手前側端部に沿って、吹出し口２０が開口される。上記前ドレンパン９Ａは、この吹出し口２０の手前側端部に沿って設けられ、上記後ドレンパン９Ｂは、上記送風路１８の上部側に沿って設けられることになる。
【００３７】
上記左右樋部１７Ａ，１７Ｂは、その上端部が後ドレンパン９Ｂの両側端部と連通し、その下端部が前ドレンパン９Ａの両側端部と連通している。すなわち、両樋部１７Ａ，１７Ｂは、後ドレンパン９Ｂと前ドレンパン９Ａとを連通する連通路を構成する。
【００３８】
上記第１の送風機支持部１５には、室内送風機１１を構成するファンモータ１３が支持され、さらにこのファンモータ１３をモータ押さえ具２１が押さえて、第１の送風機支持部１５に取付け固定するようになっている。
【００３９】
第２の送風機支持部１６には、室内送風機１１を構成する軸受け具１４が支持固定された軸受けベース２２が取付けられる。
上記モータ押さえ具２１と軸受けベース２２には、それぞれ右蓋具２３Ａ，左蓋具２３Ｂが一体に連結されている。これら左右蓋具２３Ａ，２３Ｂは各送風機支持部１５，１６の内側に形成される上記左右樋部１７Ａ，１７Ｂにそれぞれ嵌め込まれ、この上部開口を閉成するようになっている。
【００４０】
つぎに、上記第１の送風機支持部１５におけるファンモータ１３の支持構造について詳述する。
図３に示すように、送風路１８の側端部には、内縁が円弧状の送風路端板２５が立設され、この送風路端板２５と所定の間隔を存して、第１の送風機支持部１５を構成する当て板２６Ａが立設されている。
【００４１】
これら送風路端板２５と当て板２６Ａとの間の空間部が上記右樋部１７Ａとなっている。換言すれば、右樋部１７Ａは送風路端板２５と当て板２６Ａとの間に凹陥形成され、送風路１８の内側端部に沿って、後板３に一体に形成される。
【００４２】
図９に示すように、後ドレンパン９Ｂの側端部には、下方に開口する排水口体部２７が設けられ、右樋部１７Ａの上端である受け部２８ａに連通する。この受け部２８ａの下方部位は垂直部２８ｂであり、垂直部２８ｂ下端からほぼ水平方向に延出して、その前端部が上記前ドレンパンに連通する水平部２８ｃとなっている。
【００４３】
組み立てられた状態で、上記室内送風機１１を構成する横流ファン１２に対して、右樋部１７Ａの垂直部２８ｂは横流ファン１２の裏側に位置し、水平部２８ｃは横流ファン１２の下部側に位置することになる。
【００４４】
再び図３に示すように、上記当て板２６Ａの端縁は半円状に形成される。この当て板２６Ａと平行に受け板２６Ｂが立設されていて、この端縁は当て板端縁よりもある程度大きな半円状に形成される。
【００４５】
上記受け板２６Ｂの側部は、大きな曲率半径の円弧状に形成されていて、ここを支持部２８と呼ぶ。
上記右樋部１７Ａには、右蓋具２３Ａが嵌着される。すなわち、右樋部１７Ａを構成する受け部２８ａと垂直部２８ｂおよび水平部２８ｃはともに、断面がＵ字状に形成されて上部が開放されており、この開口を断面が逆Ｕ字状に形成される右蓋具２３Ａによって閉成される。
【００４６】
右蓋具２３Ａの、特に、受け部２８ａと垂直部２８ｂに対応する端部は、断面矩形状のパイプ部２９を備えている。そしてこのパイプ部２９は、上記後ドレンパン９Ｂの排水口体部２７に挿嵌される。
【００４７】
右蓋具２３Ａの上記パイプ部２９と反対側の端部は、いわゆるＰ−Ｐヒンジ部３０を介して上記モータ押さえ具２１が一体に連結される。
上記モータ押さえ具２１は、半円状に形成される押さえ部３１と、この押さえ部３１のほぼ中央部に互いに狭小の間隙を存して一体に突設される押さえ板３２ａ，３２ｂと、右蓋具２３Ａと対向する部位の押さえ部３１側縁に沿って外方へ一体に突設される閉塞板部３３とから構成される。
【００４８】
上記押さえ板３２ａの内縁は、当て板２６Ａ内縁と同一曲率の半円状に形成され、上記押さえ板３２ｂ内縁は受け板２６Ｂ内縁と同一曲率の半円状に形成される。また、上記押さえ部３１は、右蓋具２３Ａ内縁と同一の曲率半径である。
【００４９】
図４に示すように、右蓋具２３Ａが右樋部１７Ａに嵌め込まれ、この右樋部の上部開口が閉成された状態で、右蓋具２３Ａ上面は横流ファン１２の端板１２ｂとラップする。そして、ヒンジ部３０を支点としてモータ押さえ具２１を後部側に回動変位すると、右蓋具２３Ａ内縁および押さえ部３１とで円形部が形成される。
【００５０】
同時に、当て板２６Ａと一方の押さえ板３２ａ、受け板２６Ｂと他方の押さえ板３２ｂのそれぞれ内縁相互が対向し、所定の直径の円形部が形成され、他方の押さえ部３１と支持部２８とで一つの円形部が形成される。
【００５１】
図５に示すように、後板３に室内送風機１１および熱交換器７を配置する。
すなわち、先に説明したように右樋部１７Ａに右蓋具２３Ａを嵌合し、かつヒンジ部３０を支点としてモータ押さえ具２１を手前側に回動して第１の送風機支持部１５を空ける。
【００５２】
そして、室内送風機１１を構成するファンモータ１３を第１の送風機支持部１５に置き、モータ押さえ具２１を回動してファンモータ１３の周面に沿わせ、固定ねじ３５で後板３に取付け固定する。（固定部分は図９に示す）
この状態で、ファンモータ１３の周面は、第１の送風機支持部１５の支持部２８と、モータ押さえ具２１の押さえ部３１とがなす円形部に嵌合される。また、ファンモータ１３の一側部に突設される、ここでは図示しないボス部周面は受け板２６Ｂと押さえ板３２ｂのそれぞれ内縁相互がなす円形部に嵌合される。
【００５３】
ファンモータ１３の軸方向位置は、上記ボス部端面が当て板２６Ａと押さえ板３２ａの内縁相互がなす円形部に当接することにより位置決めされる。
ファンモータ１３の手前側に突設されるボス部１３ｂは、２つ割りにされた別の押さえ具３６によって支持され、このようにしてファンモータ１３は確実に後板３に取付け固定される。
【００５４】
後述するようにして、軸受け具１４側の取付けをなしてから、上記熱交換器７を所定位置に配置することにより、同図に示すような組立てが完了する。
つぎに、上記第２の送風機支持部１６における軸受け具１４の支持構造について詳述する。
【００５５】
図６に示すように、送風路１８の側端部には、内縁が円弧状の送風路端板３７が立設され、この送風路端板３７と所定の間隔を存して、第２の送風機支持部１６を構成する受け板３８が立設されている。
【００５６】
これら送風路端板３７と受け板３８との間の空間部が上記左樋部１７Ｂとなっている。換言すれば、左樋部１７Ｂは送風路端板３７と受け板３８との間に凹陥形成され、送風路１８の内側端部に沿って、後板３に一体に形成される。
【００５７】
この第２の送風機支持部１６側の後ドレンパン９Ｂ側端部は、先に説明した第１の送風機部１５と同様な排水口体部２７となっており、左樋部１７Ｂの上端である受け部２８ａに連通する。そして、受け部２８ａは垂直部２８ｂを介して水平部２８ｃに連通する。したがって、組み立てられた状態で、垂直部２８ｂが横流ファン１２の裏側に位置し、水平部２８ｃが横流ファン１２の下部側に位置する。
【００５８】
上記左樋部１７Ｂの上面開口を閉成する左蓋具２３Ｂが嵌着される。この左蓋具２３Ｂも先に説明した第１の送風機部１５と同様な形状であるので、同番号を付して新たな説明は省略する。
【００５９】
パイプ部２９とは反対側の端部は、ヒモ部３９を介して上記軸受けベース２２が一体に連結される。
また軸受けベース２２は、リング状の嵌着部４０と、この嵌着部４０の周囲に外方へ一体に突設される閉塞板部４１および取付け用孔を備えた複数の取付け片部４２…および複数のねじ孔部４３…とから構成される。
【００６０】
図７に示すように、左蓋具２３Ｂが左樋部１７Ｂに嵌め込まれ、左樋部の上部開口が閉成された状態で、左蓋具２３Ｂ上面は横流ファン１２の端板１２ｃとラップする。そして、ヒモ部３９を支点として軸受けベース２２を受け板３８に当接し、閉塞板部４１端部を受け板３８上端縁に載置する。この状態で閉塞板部４１に設けられる取付け片部４２の取付け用孔が第１の送風機支持部１５側と同様に後板３に形成されたねじ孔部（図示せず）に対向する。
【００６１】
図８に示すように、後板３に室内送風機１１および熱交換器７を配置する。
すなわち、先に説明したように、左樋部１７Ｂに左蓋具２３Ｂを嵌合した上、ヒモ部３９を支点として軸受けベース２２を一旦左蓋具２３Ｂから外側へ逃がして第２の送風機支持部１６を空ける。
【００６２】
室内送風機１１を構成する軸受け具１４を軸受けベース２２の嵌着部４０に嵌着させ、この軸受けベース２２を外側から左蓋具２３Ｂ側へ移動させて、横流ファン１２の支軸１２ａを軸受け具１４に挿入する。
【００６３】
そのあと、軸受けベース２２を第２の送風機支持部１６に載置することによって、必然的に、取付け片部４２の取付け用孔が第２の送風機支持部１６に一体に設けられるねじ孔部に連通するので、固定ねじで軸受けベース２２を後板３に取付け固定する。
【００６４】
そして、上記熱交換器７を所定位置に配置し、この熱交換器端板７ｃに設けられる取付用孔を軸受けベース２２のねじ孔部４３に対向させ、固定ねじ３５で取付固定する。したがって、軸受けベース２２は軸受け具１４を支持した状態で後板３に取付け固定されることになる。
【００６５】
このようにして構成される室内ユニットであり、熱交換器７に対する冷凍サイクル運転をなすとともに室内送風機１１を駆動して横流ファン１２を回転することにより、被空調室内空気が前部吸込口２ａと上部吸込口２ｂからユニット本体１内に吸込まれ、熱交換器７を通過して熱交換をなす。熱交換した後の熱交換空気は、送風路１８に案内され吹出口２０から被空調室内へ吹出される。
【００６６】
なお、モータ押さえ具２１と、軸受けベース２２にそれぞれ一体に突設される閉塞板部３３，４１は、逆Ｖ字状に形成される熱交換器７の内側端部に挿入される。したがって、逆Ｖ字状熱交換器７の側端部に形成される空間を閉塞して、ここから生空気が吸込まれることを阻止する。
【００６７】
冷房運転時の場合は、熱交換器７にドレン水が生成して滴下する。前側熱交換器７Ａから滴下するドレン水は前ドレンパン９Ａが受け、後側熱交換器７Ｂおよび補助熱交換器８から滴下するドレン水は後ドレンパン９Ｂが受ける。
【００６８】
後ドレンパン９Ｂが前ドレンパン９Ａよりも高位にあるところから、後ドレンパン９Ｂに集水されたドレン水は、両側端部に形成される左右樋部１７Ａ，１７Ｂに流通し、前ドレンパン９Ａに集水される。そして、前ドレンパン９Ａから一括して室外へ排水処理される。
【００６９】
このように、ドレン水を導く左右樋部１７Ａ，１７Ｂが熱交換された空気の通る送風路１８の内側に位置するので、冷えたドレン水によって左右樋部１７Ａ，１７Ｂに露が付くことがない。さらに、従来例の構成のような後ドレンパン９Ｂに外部排水孔が不要となり、したがって外部の生空気を吸込まずにすみ、露付き現象がない。
【００７０】
後板３に、前後ドレンパン９Ａ，９Ｂを一体に形成することによって、送風機１１やノーズなどの送風系に対する組立て精度の向上を得られるとともに、連結部がないので、熱膨張などによる騒音（ピシ音）が発生しない。
【００７１】
さらに、前ドレンパン９Ａを構成するリブ９１Ａと後ドレンパン９Ｂを構成するリブ９１Ｂとが同一方向に突設されている。このことから図１０に示すように、前ドレンパン９Ａと後ドレンパン９Ｂの型抜き方向が一致しているので、後板３を射出成形するための金型９０Ａ〜９０Ｅのうち、特に金型９０Ａは前ドレンパン９Ａ用と後ドレンパン９Ｂ用とを別々に構成することなく、単一の金型で構成することができる。
【００７２】
上記左右樋部１７Ａ，１７Ｂを送風路１８の側端部に位置させたので、送風性能に及ぼす影響が少ないとともに、送風機１１の風によるドレン水への影響が少なくてすむ。
【００７３】
後ドレンパン９Ｂの空気が排水口体部２７から左右樋部１７Ａ，１７Ｂに吸込まれることを阻止できないが、この空気は既に熱交換器１１で熱交換された空気であり、したがって露付きの発生がない。
【００７４】
左右樋部１７Ａ，１７Ｂの上面開口は、それぞれ左右蓋具２３Ａ，２３Ｂで閉成されることから、樋部内への塵埃の侵入を確実に阻止でき、塵埃による内部の詰まりが防止される。
【００７５】
すなわち、垂直部２８ｂに対してＵ字状の蓋とした場合、左右蓋具２３Ａ，２３Ｂと左右樋部１７Ａ，１７Ｂとの隙間からドレン水が外部へ染み出る恐れがあるがパイプ部２９としたので、左右樋部１７Ａ，１７Ｂの垂直部２８ｂと左右蓋具２３Ａ，２３Ｂとの隙間にドレン水が侵入することがなく、この隙間から染み出ることがない。
【００７６】
左右蓋具２３Ａ，２３Ｂ上面を横流ファン１２の左右端板１２ｂ，１２ｃとラップするようにしたので、送風路１８からの左右の端板１２ｂ，１２ｃ付近への空気の逃げを極力防止することができ、送風性能の低下を確実に防止できる。
【００７７】
上記モータ押さえ具２１は、ヒンジ部３０を支点として後板３側から手前側に動くことができ、これによって横流ファン１２の掃除および交換などのメンテナンス作業が容易に行える。
【００７８】
なお、モータ押さえ具２１は上記作業のために動き得る必要があるが、このとき右蓋具２３Ａが追従して動いてしまうと、嵌め込まれた右樋部１７Ａから抜け出る恐れがあるので、動いてはならない。
【００７９】
したがって、モータ押さえ具２１と右蓋具２３Ａをヒンジ部を３０介して連結し、モータ押さえ具２１の動きが右蓋具２３Ａに影響を与えないようにした。さらに、右蓋具２３Ａとモータ押さえ具２１との２部品を一体に形成して、部品点数の削減とコスト低減を得る。
【００８０】
上記軸受けベース２２は後板３に対してから前後左右に動くことができ、これによって横流ファン１２の掃除および交換などのメンテナンス作業が容易に行える。
【００８１】
軸受けベース２２は上記作業のために動き得る必要があるが、このとき左蓋具２３Ｂが追従して動くと左樋部１７Ｂから抜け出る恐れがあるので、動いてはならない。
【００８２】
したがって、軸受けベース２２と左蓋具１７Ｂをヒモ部３９を介して連結し、軸受けベース２２の動きが左蓋具１７Ｂに影響を与えないようにした。さらに、左蓋具１７Ｂと軸受けベース２２との２部品を一体に形成して、部品点数の削減とコスト低減を得る。
【００８３】
【発明の効果】
以上説明したように本発明によれば、後板に、送風路と、送風機支持部と、前，後ドレンパンおよび樋部を全て一体形成することによって、送風機やノーズなどの送風系に対する組立て精度の向上を得られるとともに、連結部がないので、熱膨張などによる騒音（ピシ音）が発生しない。
【００８４】
さらに、前ドレンパンを構成するリブと後ドレンパンを構成するリブとが同一方向に突設させることから、前ドレンパンと後ドレンパンの型抜き方向が一致しているので、後板を射出成形するための金型は、単純な構成の金型ですむ。
【図面の簡単な説明】
【図１】本発明の実施の形態を示す、空気調和機室内ユニットの縦断面図。
【図２】同実施の形態を示す、後板に対する室内送風機の支持構造を説明する分解した斜視図。
【図３】同実施の形態を示す、後板と右蓋具とモータ押さえ具との分解した斜視図。
【図４】同実施の形態を示す、後板の右樋部に右蓋具を嵌合し、かつモータ押さえ具を閉じた状態での斜視図。
【図５】同実施の形態を示す、後板に対して室内送風機および熱交換器を取付けた状態のモータ押さえ具側の斜視図。
【図６】同実施の形態を示す、後板と左蓋具と軸受けベースとの分解した斜視図。
【図７】同実施の形態を示す、後板の左樋部に蓋具を嵌合し、かつ軸受けベースを閉じた状態での斜視図。
【図８】同実施の形態を示す、後板に対して室内送風機および熱交換器を取付けた状態の軸受けベース側の斜視図。
【図９】同実施の形態を示す、後板に対する蓋具の取付け図。
【図１０】同実施の形態を示す、後板の製作を説明する図。
【符号の説明】
２ａ，２ｂ…（前部，上部）吸込み口、
２０…吹出し口、
４…前面パネル、
３…後板、
１…ユニット本体、
７Ａ…前側熱交換器、
７Ｂ…後側熱交換器、
７…熱交換器、
１８…送風路、
１１…室内送風機、
９Ａ…前ドレンパン、
９Ｂ…後ドレンパン、
９１Ａ，９１Ｂ…リブ、
１７Ａ…右樋部、
２７…排水口体部、
２８ａ…受け部、
２８ｂ…垂直部、
２８ｃ…水平部、
２３Ａ…右蓋具、
３０…ヒンジ部、
２１…モータ押さえ具、
２３Ｂ…左蓋具、
３９…ヒモ部、
２２…軸受けベース。
【図１】
0003572249.tif 000002
【図２】
0003572249.tif 000003
【図３】
0003572249.tif 000004
【図４】
0003572249.tif 000005
【図５】
0003572249.tif 000006
【図６】
0003572249.tif 000007
【図７】
0003572249.tif 000008
【図８】
0003572249.tif 000009
【図９】
0003572249.tif 000010
【図１０】
0003572249.tif 000011